(57)【要約】      （修正有）【課題】例えば一般家屋における屋内で隠蔽保護させてケーブル類、配管類を配線等するとき、配線面に沿っての凹凸、上下・左右方向への撓曲態様とする場合でもこれらに追随して配置固定でき、しかも体裁良く収納できるようにした配線・配管保護カバーを提供する。【解決手段】撓曲可能な支持芯材１０を挿通する芯材挿通部６に、配線する配線部材Ｐを挿入支持する囲繞部２を柔軟性ある素材によって一体状に連設してなるカバー本体１と、このカバー本体１を配線面に沿って固着する固着手段２０とから成る。芯材挿通部６は、支持芯材１０を挿通させる挿通孔を配線方向に沿って開穿し、囲繞部２は、芯材挿通部６と共に配線部材Ｐを囲繞巻回するよう螺旋状に形成する。螺旋状に形成した囲繞部２によって配線部材Ｐを螺旋状に巻回するときに重ね合わせる内外面には、相互に噛み合う係合突部５を配設する。【選択図】図１
0003212854.tif 000002
【実用新案登録請求の範囲】
【請求項１】
撓曲可能な支持芯材が挿通される芯材挿通部に、配線する配線部材が挿入支持される囲繞部を柔軟性ある素材によって一体状に連設してなるカバー本体と、このカバー本体を配線面に沿って固着する固着手段とから成ることを特徴とする配線・配管保護カバー。
【請求項２】
芯材挿通部は、支持芯材を挿通させる挿通孔が配線方向に沿って開穿されている請求項１に記載の配線・配管保護カバー。
【請求項３】
囲繞部は、芯材挿通部と共に配線部材を囲繞巻回するよう螺旋状に形成されている請求項１または２に記載の配線・配管保護カバー。
【請求項４】
螺旋状に形成された囲繞部が配線部材を螺旋状に巻回するときに重ね合わせられる内外面には、相互に噛み合う係合突部が配設されて成る請求項３に記載の配線・配管保護カバー。
【請求項５】
囲繞部は、芯材挿通部の外側面に筒状で一体状に連設されることで隣接配置されていて、囲繞部の側壁には配線部材を挿入させる挿入開口を形成してある請求項１に記載の配線・配管保護カバー。
【請求項６】
筒状の囲繞部は、芯材挿通部の外側面に対状に配置してある請求項５に記載の配線・配管保護カバー。
【考案の詳細な説明】
【技術分野】
【０００１】
この考案は、例えば一般家屋内での各種ケーブルの配線に際し、ケーブルを覆うことで隠蔽し保護する場合に、ケーブルの配線面が平坦であっても、凹凸状あるいは彎曲状であってもそれらの配線面に沿って敷設配線して固定保護できるようにした配線・配管保護カバーに関する。
【背景技術】
【０００２】
従来から、例えば一般家屋、ビル内、店舗その他の屋内等で各種のケーブルが配線される場合、モールと呼ばれる配線カバーによって覆うことで、ケーブル等を保護隠蔽し、また化粧している。例えば特許文献１あるいは特許文献２に示される配線カバーであり、これらの配線カバーは、配線面に固定可能にした合成樹脂製のベース部材と、このベース部材上に所定の配線空間を形成して覆うようにベース部材に係止固着される合成樹脂製のカバー部材とから成っている。
【先行技術文献】
【特許文献】
【０００３】
【特許文献１】特開平８−２０５３６２号公報
【特許文献２】特開２００２−２９００７０号公報
【考案の概要】
【考案が解決しようとする課題】
【０００４】
これらの従来の配線保護カバーは、配線面が平坦で、しかも直線状である場合はその平坦面に例えばビス止めあるいは接着テープ止め等で固定可能である。しかしながら、配線面に段差があったり、柱その他の突出物があったりすると、これらを回避するために上下あるいは左右に折曲させて取り付けなければならないことが多々あり、これらに対応して配線カバーを切断したり、切込を設けたりして配線面の形状に沿わせなければならない。また、配線敷設面が彎曲している場合には、ベース部材とカバー部材との間で対応合致するように現場加工によって工夫しなければならず、極めて面倒でもあった。
【０００５】
こうした点から彎曲面に対応できるように例えば可撓性を備えるべくジャバラ状に形成した配線カバー構成としておくこともあるが、体裁が悪く、例えば室内での使用は大きく出張るばかりでなく、配線カバー内への配線部材の収納、挿通作業も面倒であった。
【０００６】
そこでこの考案は上述したような従来存した諸事情に鑑み案出されたもので、例えば一般家屋における屋内等で隠蔽保護させてケーブル類、配管類を配線等するとき、配線面に沿っての凹凸、上下・左右方向への折曲、彎曲等の撓曲態様とする場合でも様々な配線面に沿って変形可能にしてこれら追随して配線固定でき、しかも体裁良くケーブル類等を収納できるようにした配線・配管保護カバーを提供することにある。
【課題を解決するための手段】
【０００７】
上述した課題を解決するため、この考案にあっては、後述する考案を実施するための形態における使用符号を付記して説明すると、撓曲可能な支持芯材１０が挿通される芯材挿通部６に、配線する配線部材Ｐが挿入支持される囲繞部２を柔軟性ある素材によって一体状に連設してなるカバー本体１と、このカバー本体１を配線面に沿って固着する固着手段２０とから成ることを特徴とする。
芯材挿通部６は、支持芯材１０を挿通させる挿通孔が配線方向に沿って開穿されて構成することができる。
囲繞部２は、芯材挿通部６と共に配線部材Ｐを囲繞巻回するよう螺旋状に形成されて構成することができる。
螺旋状に形成された囲繞部２が配線部材Ｐを螺旋状に巻回するときに重ね合わせられる内外面には、相互に噛み合う係合突部５が配設されて構成することができる。
囲繞部２は、芯材挿通部６の外側面に筒状で一体状に連設されることで隣接配置されていて、囲繞部２の側壁には配線部材Ｐを挿入させる挿入開口７を形成して構成することができる。
筒状の囲繞部２は、芯材挿通部６の外側面に対状に配置して構成することができる。
【０００８】
以上のように構成されたこの考案に係る配線・配管保護カバーにあって、囲繞部２内に収容した配線部材Ｐは、例えば撓曲された支持芯材１０が挿通されている芯材挿通部６が配線面に沿って固着手段２０を介して固着されることで、カバー本体１によって配線部材Ｐを配線面の平坦、凹凸、彎曲、折曲等に対応した支持態様で配線保持させる。
カバー本体１は、芯材挿通部６、囲繞部２が柔軟性ある素材によって一体状に形成されていることで、配線面の凹凸その他があってもこれに対応して密着状に固着させ、また可撓性ある支持芯材１０によって凹凸その他に馴染ませ、配線保持を確実にさせる。
螺旋状に巻回される囲繞部２は、収容する配線部材Ｐの大小、収容量に対応して縮小あるいは拡大し、また、囲繞部２の内外面における係合突部５の相互の噛み合いは重ね合わせ面におけるズレを阻止し、配線部材Ｐの収容状態を保持させる。
芯材挿通部６に一体状にして隣接配置した筒状の囲繞部２は、その挿入開口７から配線部材Ｐを直接に挿入収容させ、配線面に対応した固着手段２０を介して密着状で配線部材Ｐを保持させる。
【考案の効果】
【０００９】
この考案は以上説明したように構成されているため、囲繞部２によって囲繞保護された配線部材Ｐは、配線面に沿った支持態様で撓曲されて固着される芯材挿通部６によって例えば凹凸等がある配線面でもこれに沿って配線支持でき、例えば室内における出張り部分を回避し、家具面に沿った配線支持等を可能にし、カバー本体１によって支持芯材１０、配線部材Ｐ等は隠蔽されていることで配線後の体裁をも維持できる。また、カバー本体１は柔軟性ある素材によって形成されていることで、例えば何等かの部材や身体の一部がぶつかっても配線部材Ｐはもとより相互間で損傷することもない。
【００１０】
すなわちこれはこの考案において、芯材挿通部６に囲繞部２を柔軟性ある素材によって一体状に連設してなるカバー本体１に、配線面に沿って固着する固着手段２０を設けて成るものとしたからであり、これによって配線面に沿った例えば折曲、彎曲等による撓曲されての密着状の固着保持、支持芯材１０による撓曲維持、配線部材Ｐに対する外部衝撃からの保護、あるいは衝突物に対しての相互間の保護、配線部材Ｐの隠蔽保持等を図ることができる。
【００１１】
また、芯材挿通部６に連続させてなる螺旋状の囲繞部２は、その螺旋の縮小あるいは拡大によって、収容する配線部材Ｐの大小、収容量その他に対応でき、芯材挿通部６の撓曲性と相俟ち、配線面に沿って配線部材Ｐを配線し、また確実に収容した状態で隠蔽保持できる。
【００１２】
しかも、螺旋状の囲繞部２は配線部材Ｐに対応して縮小あるいは拡大されても、螺旋状に重ね合わせられる内外面には相互に噛み合うようにした係合突部５が配設してあるから、螺旋巻回状態が確実に維持され、囲繞部２自体の柔軟性と相俟ち、収容した配線部材Ｐを外部からの衝撃その他から安全に保護できる。
【００１３】
芯材挿通部６の外周面に配設した筒状で、拡開可能な挿入開口７が形成された囲繞部２は、配線部材Ｐを直接に挿入収容させ、その容易な収容作業、閉塞される挿入開口７によって配線部材Ｐを配線面に沿って例えば対状にして確実に配線保持できる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す分解斜視図である。
【図２】同じく使用状態の一例における断面図である。
【図３】同じく配線支持状態の斜視図である。
【図４】同じく係合突部の他例における使用状態の一例における断面図である。
【図５】同じく係合突部が形成されない場合における別の実施の形態における断面図である。
【図６】同じく他の実施の形態における斜視図である。
【考案を実施するための形態】
【００１６】
以下、図面を参照してこの考案を実施するための一形態を説明すると、図において示される符号１はカバー本体である。このカバー本体１は、保護すべき例えば各種のケーブル類、配管類等の配線部材Ｐを囲繞する囲繞部２と、様々な配線面に対応した変形・変更が可能である程度の柔軟性がある支持芯材１０が挿通される芯材挿通部６とを備えており、これらの囲繞部２、芯材挿通部６を例えばＰＥ発泡材を素材とする柔軟性ある素材によって一体状にして形成してなる。
【００１７】
なお、この考案の実施の形態において、各種ケーブルその他の配線材を配線部材Ｐとして説明するが、撓曲可能な配管材であっても同様に実施可能であり、したがって配線部材Ｐにはこのような配管材等も含まれる。
【００１８】
また、このカバー本体１は、配線部材Ｐの配線方向に沿って長く形成されていて、例えば６００ｍｍ、９００ｍｍ、１２００ｍｍその他の長さとして予め形成されており、必要長さに応じて切断可能にしてある。そして、配線面が例えば直線状、平坦状、湾曲状、折曲状等の様々な支持態様面とされているところ、これに対応して配線面に沿って望ましくは密着状に配されるのであり、支持態様面に対する柔軟性を備えたものとしてある。
【００１９】
囲繞部２は、図１乃至図４にあって、保護・配線すべき配線部材Ｐの適数本に対してこの配線部材Ｐを巻回状に包み込む（包覆）ように螺旋形態に形成した場合であり、配線部材Ｐに直接に当接して巻回する例えば断面でＵ字状を呈する当接部分３に、この当接部分３の外周を更に適数回で重ね合わせて巻回する延接部分４を連続形成してなる。なお、この囲繞部２は、少なくとも当接部分３を備えていれば足り、配線部材Ｐを内部に収容した状態で支持芯材Ｓによるカバー本体１の支持態様時において配線部材Ｐが当接部分３によって隠蔽されるようになっていれば良い。
【００２０】
また、延接部分４は当接部分３によって収納した配線部材Ｐが大径であったり、複数本であったりして大きく膨らむとき、当接部分３の開口縁を閉塞し、巻回して全体外形が円柱状を呈するようにしている。
【００２１】
なお、当接部分３、延接部分４それぞれはこれらの外方がわに反り返り状に拡開可能になっていて、強制的な展延操作はカバー本体１自体を半ば平坦な状態に変形可能にさせているも、この展延作用が付与されていない状態では、螺旋状に縮小される傾向に付勢されていて、収容した配線部材Ｐに密着当接し、包み込むようになっている。
【００２２】
延接部分４の表裏面には、図１乃至図３に示すように、当接部分３の開口縁部位から延接部分４の末端部位に至るまでの巻回方向、すなわち螺旋方向に沿った所定間隔毎に、カバー本体１の内外方向で相互に係合可能にした係合突部５を配設してある。この係合突部５は、例えばカバー本体１の螺旋方向に直交するように長く形成した突条状としたり、球面突部状としたりすることができ、また表裏面全域に突部状にして配設したりする。更には図４に示すように、巻回されたときの延接部分４が互いに当接する表裏面に、互いに噛み合うような断面で円弧状、山形状等の凹凸面となる波形面形状の係合突部５とすることも可能である。いずれにしてもカバー本体１の内外方向で、当接部分３上に延接部分４が、更には延接部分４自体が重ねられるとき、重ね合わせた内外面で係合突部５同士で噛み合うことでズレることなく互いに重ね合わせられ、螺旋状に巻回され、拡開を防止するものとなっている。なお、この係合突部５は、延接部分４の最外周面には必ずしも設けられる必要はない。
【００２３】
また、前記芯材挿通部６は、図示例のようにカバー本体１のほぼ中心部位である例えば当接部分３の基部に、カバー本体１の長さ方向に沿って孔状に設けられており、柔軟で可撓性ある適宜外径を備えた支持芯材１０がこの芯材挿通部６に強制的にでも挿通されるようにしてある。挿通された支持芯材１０は、カバー本体１と共に直線状とすることはもとより、支持芯材１０自体の可撓性によって自在にその方向を問わずに屈曲、折曲、彎曲等に変形され、自在に変形された場合にはその状態がそのまま保持されるようになっている。なお、芯材挿通部６が設けられる当接部分３の基部は、図示にあっては、配線部材Ｐが収容される収容空間では断面でほぼＵ字状を呈するも、外形は彎曲面となっていて、延接部分４が体裁よく螺旋巻回されるようにしてある。
【００２４】
支持芯材１０自体は、上述したように屈曲、折曲、彎曲等が可能な可撓性を備え、それが維持できる所定径の線条材であれば良く、直径が例えば３ｍｍ程度の可撓性ある金属線材、あるいは合成樹脂線材等である。なお、この支持芯材１０が挿通される前記芯材挿通部６の内径は支持芯線の外径にほぼ対応しており、好ましくはやや強制的にでも挿通されている状態としておくのが良い。
【００２５】
一方、図６においては別の実施の形態が示されており、この実施の形態におけるカバー本体１は、断面外形が円形状の芯材挿通部６の外側に拡開可能になっている囲繞部２を例えば対状に配して成るのである。芯材挿通部６は支持芯材１０を挿通可能にした挿通孔が開穿されており、囲繞部２は芯材挿通部６を中心としていわば左右対称にして設けられている。図示を省略したが、この囲繞部２は対状に設けられずに、１個あるいは複数で設けられることもある。
【００２６】
囲繞部２は、例えば芯材挿通部６に隣接配置させて円筒状に形成されていて、囲繞部２の側壁には配線部材Ｐを挿入させるよう、例えば芯材挿通部６との連続部位におけるいずれか一方を切離することで形成した挿入開口７を経て配線部材Ｐが収容されるようにしてある。挿入開口７をやや強制的にでも拡開することで挿入開口７から配線部材Ｐを直接に挿入でき、挿入収容後では配線部材Ｐが囲繞部２から脱落されることなく、保持されるようにしている。
【００２７】
また、この囲繞部２には１本の配線部材Ｐに限らず、複数本の配線部材Ｐを纏めて収容することも可能であり、収容する配線部材Ｐ数等と囲繞部２の収容容積とは相対的に定められる。
【００２８】
なお、この実施の形態におけるカバー本体１自体は、先の実施の形態におけると同様に例えばＰＥ発泡材を素材とする柔軟性ある素材によって一体状にして形成されることは同様であり、囲繞部２に収容する配線部材Ｐの容量によっては囲繞部２自体が大きく膨らむことがあっても、囲繞部２自体の柔軟性によって対応可能にしている。
【００２９】
また、いずれの実施の形態におけるカバー本体１でも、カバー本体１自体を適宜な配線面に固着させるための固着手段２０がカバー本体１の外側面の適位置に配されている。この固着手段２０は、例えば配線面に接着させる接着剤、例えば図に示すように接着面に剥離紙等が貼付されている接着テープや両面接着テープであり、場合によってはビス止めその他も可能である。
【００３０】
次にこれの使用の一例を説明すると、芯材挿通部６には予め支持芯材１０を挿通させた状態で配線面に沿って固着手段２０によって取り付けておき、開放した囲繞部２内にその開放した開口部分を経て所定の配線部材Ｐを挿入し囲繞部２内に配線部材Ｐを支持させる。あるいは先に囲繞部２内に配線部材Ｐを挿入支持させた状態で、固着手段２０によって所定の配線面に固着し、取り付けるものとしても良い。いずれにしても、支持芯材１０によって配線面に沿わせて撓曲させた芯材挿通部６によって取り付けられ、囲繞部２によって配線部材Ｐが挿入支持され、ほぼ隠蔽状態で収容された配線部材Ｐが配線面に沿って配線支持されれば良い。
【符号の説明】
【００３１】
Ｐ…配線部材
１…カバー本体                          ２…囲繞部
３…当接部分                            ４…延接部分
５…係合突部                            ６…芯材挿通部
７…挿入開口                            １０…支持芯材
２０…固着手段
【図１】
0003212854.tif 000003
【図２】
0003212854.tif 000004
【図３】
0003212854.tif 000005
【図４】
0003212854.tif 000006
【図５】
0003212854.tif 000007
【図６】
0003212854.tif 000008